(57)【要約】【課題】容器本体内の生体を傷付けることなく安全、かつ、迅速に取り出すとともに、前記生体の変態から成体に至る全ての過程において最良の環境を調整できるようにして生体の健全な育成及び飼育を保全し、一定品質の成体が得られる容器を提供する。【解決手段】容器本体１と上蓋１５からなり、容器本体１は胴体２と下面外側周内に間隙突状足枠９を設けた底蓋３でなし、かつ、該底蓋３の下面に対し胴体２の傾斜角を９０度以下に形成するとともに、上蓋１５には上面外側周に逆凹溝２６を設け、該上蓋１５及び又は前記容器本体１に、穿穴固定板１６と穿穴移動板１７間にフィルター１８を介してなる通気調節機構を設けたことを特徴とする動植物類の育成兼飼育観察用容器を確保する。【選択図】  図１
2005000115.tif 000002
【特許請求の範囲】
【請求項１】
容器本体（１）と上蓋（１５）とからなり、容器本体（１）は胴体（２）と下面外側周内に間隙突状足枠（９）を設けた底蓋（３）で形成するとともに、該底蓋（３）の下面に対し胴体（２）の傾斜角を９０度以下になし、上蓋（１５）には上面外側周に逆凹溝（２６）を設け、かつ、該上蓋（１５）及び又は前記容器本体（１）に、穿穴固定板（１６）と穿穴移動板（１７）間にフィルター（１８）を介してなる通気調節機構を設けたことを特徴とする動植物類の育成兼飼育観察用容器。
【請求項２】
穿穴移動板（１７）を回転システムとした請求項１記載の動植物類の育成兼飼育観察用容器。
【請求項３】
穿穴移動板（３０）をスライドシステムとした請求項１記載の動植物類の育成兼飼育観察用容器。
【請求項４】
胴体（２）を縦二分割にした請求項１又は２又は３記載の動植物類の育成兼飼育観察用容器。
【請求項５】
胴体（２）を縦割り観音開きにした請求項１又は２又は３記載の動植物類の育成兼飼育観察用容器。
【発明の詳細な説明】
【０００１】
【発明の属する技術分野】
本発明は動植物類の育成兼飼育観察用容器に関し、更に詳細には変態、つまり、動物（昆虫）が卵からふ化したのち成体（成虫）になるまでに時期によって種々の形態をとったり、植物の茎・葉・根が変じて全く異なった形態をとるのに適用できるとともに、成体・成虫になったのちに対してもそのまま適用できる動植物類の育成兼飼育観察用容器に係わる。
【０００２】
【従来の技術】
昆虫の幼虫を飼育するための器具として従来から飼育瓶や飼育容器が提供されている。
【０００３】
これらは、一般に筒型（ボトル）や箱型（ケース）などの容器本体に金網や穴を穿った木・ガラス又はプラスチックス製などの蓋を被せてなるものである。
【０００４】
これら従来の飼育瓶は開口部を相互に連結できるようにしているものもある（例えば、特許文献１参照。）。
また、直列に積み重ね可能にしているものもある（例えば、非特許文献１参照。）。
そして、飼育用容器の空気挿通部を内壁と外壁とからなる二重構造としているものもある（例えば、特許文献２参照。）。
【０００５】
【特許文献１】
特開２００１−２０４２９８号公報（第３頁、第２図）
【非特許文献１】
株式会社フジコン  オオクワ通販事業部  発行
２００２  昆虫飼育用品  通信販売カタログ
「オオヒラ茸びっくりビン１．５Ｌ」及び「オオヒラ茸びっくりビン３Ｌ」の写真（第１０頁）
【特許文献２】
特許第３３２０４００号公報（第４頁、第７図）
【０００６】
ところで、前記の容器本体には幼虫に供するための飼育用餌を装填する。飼育用餌の種類としては菌床並びにマットと称されているものが一般的に知られている。
菌床は木粉・きのこ菌・栄養添加剤・水の混合物を蒸煮滅菌したのち植菌し培養したものであり、また、マットは木粉・栄養添加剤・水の混合物を仕込み、発熱させ発酵させたものである。
【０００７】
他方、変態を生ずる化生動植物は、該生物の器官が普通の形と著しく変り機能もそれに伴って変化する。
例えば、卵・幼虫・さなぎ・成虫の順に変態をする甲虫類「くわがた」においては、幼虫時に前述の飼育瓶及び飼育用餌によって飼育されてきた。このような幼虫はその習性によって飼育用餌の上部から下部、下部から上部に向かってアトランダムに埋進しながら栄養分を食する。
【０００８】
このようにして、飼育用餌に栄養分がなくなったり、幼虫の排泄物或いは蓋の穴から侵入した細菌の繁殖などにより汚れが生じたりすると、予め用意しておいた新しい飼育瓶に幼虫を移さなければならない。この作業は、幼虫がさなぎになるまで通常２〜４回程繰り返して行なうのが一般的である。
【０００９】
前述のように、飼育用餌は飼育瓶内の底部から上部にかけて全体にある程度固く引き締まって装填され、逆に、幼虫は器官も機能も頗る軟弱でデリケートな化生状態で前記飼育用餌の内部にうずくまっている。
【００１０】
このような状況下で幼虫を新しい飼育瓶に移すには、蓋を開けて柄の長いスプーン等の小道具を用いて幼虫の位置する場所まで飼育用餌を掘り起こし、掻き出しながら幼虫を摘出すことが従来から行なわれてきた。
【００１１】
前記従来技術に基づく容器では幼虫を摘出するまでの時間がかかり、しかも、熟練者が十分に慎重を期しても幼虫に損傷を与えることもある。
【００１２】
また、蓋の穴は常に開いているから飼育用餌が乾燥しやすく、蒸れやすく、かつ、外部から害虫・細菌・塵埃などが侵入し、さらに、内部からの細菌の発生と相俟って幼虫の健全な成育を妨げ、そのまま死損したり成虫となっても奇形が生じやすくなり、成虫の飼育に際しても同様で環境衛生対策が十分とは云えない。
【００１３】
さらに、容器本体を積み重ねた場合の安定性及び安全性の対策も施されていない。
【００１４】
【発明が解決しようとする課題】
本発明は容器本体から幼虫・成虫等の生体並びに残渣餌を頗る容易、かつ、迅速に摘出・取り出せるようにして通気性・防害性を保全しつつ前記生体の育成・飼育に健全な環境を提供するとともに、その保管性・観察性を簡便ならしめることを目的とする。
【００１５】
【課題を解決するための手段】
而して、上記の問題点を改善すべくなした本発明の要旨は、容器本体と上蓋とからなり、容器本体は胴体と下面外側周内に間隙突状足枠を設けた底蓋で形成するとともに、該底蓋の下面に対し胴体の傾斜角を９０度以下になし、上蓋には上面外側周に逆凹溝を設け、かつ、該上蓋及び又は前記容器本体に、穿穴固定板と穿穴移動板間にフィルターを介してなる通気調節機構を設けたことを特徴とする動植物類の育生兼飼育観察用容器を確保するにある。
【００１６】
本発明によると、容器本体から上蓋及び底蓋を外したのち、胴体の上端開口面から飼育用餌の表面を押圧することにより、幼虫がうずくまったままの状態の残渣としての飼育用餌を丸ごとそっくりそのままの形態で胴体から外し出すこともできる。底蓋の下面に対し胴体の傾斜角度が鋭角であれば、前記胴体からの外し出しは一層円滑容易である。
【００１７】
また、状況に応じて前記飼育用餌を胴体から外し出すことなく、胴体の上部は勿論、下部からも飼育用餌を掻き出して幼虫を摘出すことも容易である。
【００１８】
前述のようにして胴体から外部へ外し出した飼育用餌は、トレーや古新聞紙上などに乗せられ自由方向から自在に壊すことができ頗る簡便、かつ、迅速に幼虫を摘出することができる。
【００１９】
摘出された幼虫は予め用意しておいた新しい飼育用餌を装填してある本発明に係る容器に移される。なお、トレー上などに残渣として残存する古い飼育用餌は周りを汚さずそのまま処理される。
【００２０】
そして、本発明においては穿穴移動板が回転移動又はスライド移動することにより、該穿穴移動板の穴が穿穴固定板の穴に合致したり外れたりして両穴を開閉調整し、穿穴固定板の穴の開閉率を自在にして所望する通気量が得られる。
【００２１】
このとき、フィルターは穿穴固定板の全面を覆っていることと相俟って、容器本体内に所望する空気量・温度・湿度などを通気調節により容器内の環境を最良に維持し管理できるとともに、通気時においても細菌・塵埃等の侵入防止機能も発揮する。
従って、飼育用餌や飼育材及び生体に対する変化を外部・内部要因に従って飼育者自身が環境に応じて適宜に調整でき、幼虫・成虫に対する衛生環境を長期にわたって良好に保全することが可能である。
【００２２】
そして、本発明による容器は縦列式に積み重ねることもできる。すなわち、上蓋の逆凹溝より内周面に底蓋の間隙突状足枠を乗置することにより、該間隙突状足枠は逆凹溝に拘束されながら緩く嵌まり込んで設定される。
【００２３】
従って、容器本体を底蓋上に積み重ねても滑り落ちたり、ずれ落ちたりすることはない。また、容器本体の下半部には飼育用餌が装填され、下部が重くなっており、しかも、容器本体は底蓋の下面に対し胴体の傾斜角度を鋭角にすることと相俟って頗る安定性が高く設定できるとともに、幼虫や成虫等の生体は胴体の内壁を登りにくく容器外に脱出することは極めて困難である。
【００２４】
かようなことは、容器自体の対保管性並びに対飼育観察用として極めて高い安全性を発揮でき、また、幼虫の育成用として或いはその後においても飼育用餌の種類を変えることにより成虫の飼育観察用としてそのまま適用できる。
【００２５】
【発明の実施の形態】
次に、本発明の実施形態について図面を参照しつつ説明する。
図１から図７は穿穴移動板を回転システムとした本発明の一実施形態を表したもので、図１は本発明の縦断面図、図２は同じく平面図、図３は同じく底面図、図４は穿穴固定板の平面図、図５は穿穴回転板の平面図、図６は縦二分割とした胴体の平面図、図７は観音開きとした胴体の平面図である。
【００２６】
図中、符号１は容器本体であり、僅かに末広がり状を呈する円筒形になした胴体２の下端部と底蓋３の逆鍔４との螺合で形成し、その着脱を自在とする。容器本体１は胴体２に底蓋３を螺合したり、嵌め込んだり、被せることによって着脱自在に形成できる。なお、底蓋３の角部５を弧状に形成することにより、幼虫６の行動範囲の安全性を確保でき、しかも、飼育用餌７を満遍なく効果的に食することができる。
【００２７】
また、底蓋３の下面にはその外側周内に沿って間隙部８を有する不連続な間隙突状足枠９を突設したものである。この間隙突状足枠９の高さ・幅（厚さ）・間隙部８などの形状は、後述する上蓋の形状に伴って相互に設計変更できる。
【００２８】
そして、胴体２は縦二分割にした半円筒１０，１１とし、或いは支線１２を中心として観音開きにした半円筒１３，１４とし、これらの嵌合によって胴体２を構成することもできる。
【００２９】
他方、符号１５は円形の上蓋を示す。この上蓋１５は穿穴固定板１６、穿穴移動板１７及びフィルター１８からなるものである。
つまり、上蓋１５は穿穴固定板１６の中心に設けた軸受１９に穿穴移動板１７の中心に設けた軸２０を前記フィルター１８を介して形成した。穿穴固定板１６と穿穴移動板１７には中心から放射状に広がるほぼ三角形の固定穴２１及び移動穴２２をそれぞれ穿って回転システムとなしたものである。
【００３０】
符号２３は穿穴固定板１６に突設したストッパー、２４は穿穴移動板１７に穿った摺動穴及び２５は穿穴移動板１７の中心から三方向に突設したつまみである。このつまみ２５を把持して回すことにより、穿穴移動板１７が摺動穴２４の範囲内に沿って回動し、その回動はストッパー２３によって拘束される。
【００３１】
さらに、この上蓋１５には穿穴固定板１６の外周に沿って逆凹溝２６が突設され、該逆凹溝２６が容器本体１の上面開口周に嵌合して容器本体１を閉塞する。容器本体１を閉塞するには、前記底蓋３と同様に上蓋１５を胴体２に螺合したり、嵌め込んだり、被せることにより着脱自在に形成できる。また、容器本体１を積み重ねた場合において、前記逆凹溝２６が底蓋３の間隙突状足枠９を拘束し安定性を保ち滑り落ちることはない。
【００３２】
このように容器を積み重ねた場合においても、逆凹溝２６より間隙突状足枠９を高くすることによって間隙部８から上蓋１５を介して容器本体１内への通気性を損なうこともない。
【００３３】
図８から図１０は穿穴移動板をスライドシステムとした本発明の一実施形態を表したもので、図８は容器本体の通気可能態様を示す正面図、図９は同じく断面図、図１０は容器本体の通気遮断態様を示す正面図である。
ここにおいて、符号２７は容器本体であり箱形になした胴体２８と底蓋２９との嵌合で形成したもので、穿穴移動板３０をスライドシステムとなしたもの以外は前述の容器と同様の構成である。
【００３４】
すなわち、胴体２８を構成する側板３１の上部にリム状の溝レール３２を設け、該溝レール３２の中央線に沿って複数の穴３３を穿って穿穴固定板３４とし、他方、長手板３５の中央線に沿って複数の穴３６を穿ってなる穿穴移動板３０をフィルター３７を介して前記穿穴固定板３４の溝レール３２に嵌め込んでスライドシステムとなしたものである。
【００３５】
符号３８は長手板３５に設けた把手であり、該把手３８を持って左右に動かすことにより、穿穴移動板３０が溝レール３２に拘束しながら摺動（スライド）し、それぞれの穴３３，３６の合致率により容器本体２７内への通気率を調整する。なお、それぞれの穴３３，３６の大きさ・形状等は適宜設計変更できることは当然であるが、穿穴移動板３０における穴３６は穿設しなくても同様の機能を呈する。
【００３６】
本発明によると、幼虫の育成用とは限らず成虫の飼育観察用として、また、広く生体としての動植物の観察・観賞用容器として幼虫の育成後もそのまま転用できる。
【００３７】
本発明を構成する上蓋・胴体・底蓋の材質は所望に応じてプラスチックス・ガラス・金属・木材等を選定でき、透明にできることも当然である。
【００３８】
【発明の効果】
本発明によると、容器本体内にある動植物の生体を傷付けることなく頗る安全、かつ、迅速に取り出すことができる。
また、前記生体の変態から成体に至る全ての過程において、その都度所望する最良の環境を調整し提供でき、生体の健全な育成及び飼育を促し、常に一定品質の成体が得られるとともに、保管性並びに観察性の向上に役立つ。
【図面の簡単な説明】
【図１】本発明に係る容器の一実施形態を示す説明的な縦断面図である。
【図２】本発明に係る容器の一実施形態を示す平面図である。
【図３】本発明に係る容器の一実施形態を示す底面図である。
【図４】本発明に係る容器における上蓋を構成する穿穴固定板の一実施形態を示す平面図である。
【図５】本発明に係る容器における上蓋を構成する穿穴回転板の一実施形態を示す平面図である。
【図６】本発明に係る容器における胴体の一実施形態を示す平面図である。
【図７】本発明に係る容器における胴体の一実施形態を示す平面図である。
【図８】本発明に係る容器における容器本体の一実施形態を示す正面図である。
【図９】本発明に係る容器における容器本体の一実施形態を示す縦断面図である。
【図１０】本発明に係る容器における容器本体の一実施形態を示す正面図である。
【符号の説明】
１    容器本体
２    胴体
３    底蓋
４    逆鍔
５    角部
６    幼虫
７    飼育用餌
８    間隙部
９    間隙突状足枠
１０    半円筒
１１    半円筒
１２    支線
１３    半円筒
１４    半円筒
１５    上蓋
１６    穿穴固定板
１７    穿穴移動板
１８    フィルター
１９    軸受
２０    軸
２１    固定穴
２２    移動穴
２３    ストッパー
２４    摺動穴
２５    つまみ
２６    逆凹溝
２７    容器本体
２８    胴体
２９    底蓋
３０    穿穴移動板
３１    側板
３２    溝レール
３３    穴
３４    穿穴固定板
３５    長手板
３６    穴
３７    フィルター
３８    把手
【図１】
2005000115.tif 000003
【図２】
2005000115.tif 000004
【図３】
2005000115.tif 000005
【図４】
2005000115.tif 000006
【図５】
2005000115.tif 000007
【図６】
2005000115.tif 000008
【図７】
2005000115.tif 000009
【図８】
2005000115.tif 000010
【図９】
2005000115.tif 000011
【図１０】
2005000115.tif 000012